(57)【特許請求の範囲】
【請求項１】
燃焼室に連通する吸気通路と、
前記燃焼室に連通する排気通路と、
前記吸気通路に設けられて前記燃焼室に導かれる気体が流動するとともに、前記気体を冷却する冷却部と
前記燃焼室から排出される排気を前記吸気通路において前記冷却部の上流に導く第一排気還流装置と
を備えるエンジンに設けられる凝縮水排出装置であって、
前記冷却部で凝縮された凝縮水を蒸発させる蒸発手段と、
前記蒸発手段で形成された水蒸気を、前記吸気通路中に排出する排出手段と
を具備し、
更に、前記蒸発手段は、
前記排気通路の一部と、
前記凝縮水をためるとともに、前記排気通路からの排熱を受熱する受熱部を備えたタンクと、を具備することを特徴とする凝縮水排出装置。
【請求項２】
前記エンジンの運転状態に応じて最適な量の前記水蒸気が前記燃焼室に導入されるよう水蒸気排出量の調整を行う水蒸気量調整手段を備える
ことを特徴とする請求項１に記載の凝縮水排出装置。
【請求項３】
前記燃焼室から排出される排気を前記吸気通路において前記冷却部の下流に導く第二排気還流装置を備え、
前記排出手段は、前記蒸発手段で形成された水蒸気を前記吸気通路中に排出する同時に前記第二排気還流装置から該吸気通路へ排気を導入すること
を特徴とする請求項１又は２に記載の凝縮水排出装置。
【請求項４】
前記タンク内の圧力を検出するタンク内圧検出手段と、
前記吸気通路において蒸気が戻される位置の圧力を検出する吸気通路圧力検出手段と、を備え、
前記排出手段は、前記タンク内圧が前記吸気通路圧力を上回るように前記第二排気還流装置から前記吸気通路への排気の導入量を制御すること
を特徴とする請求項１〜３のうちのいずれか１項に記載の凝縮水排出装置。
【発明の詳細な説明】
【技術分野】
【０００１】
本発明は、燃焼室に導かれる気体中に含まれる水分が凝縮した凝縮水を排出する装置に関する。
【背景技術】
【０００２】
従来、自動車では、燃焼室から排出される排気の一部を吸気通路に戻す排気還流装置がある。吸気通路に戻された排気は、空気と混合され、再び燃焼室に導かれる。
【０００３】
一方、吸気通路中には、燃焼室に導かれる空気の量を多くするために、空気を冷却する冷却部としてのインタークーラが設けられている。空気は、インタークーラを通過することによって冷却されて、体積が小さくなる。この結果、より多くの空気が燃焼室に導かれるようになる。
【０００４】
燃焼室から排出される排気中には、水蒸気が含まれている。このため、排気還流装置によって吸気通路に戻された排気がインタークーラを通過することによって冷却されると、排気中の水蒸気が凝縮されて凝縮水となる。このため、インタークーラの底部に弁を設けて、凝縮水を外部に排出する構造が提案されている。
【０００５】
（例えば、特許文献１参照。）。
【先行技術文献】
【特許文献】
【０００６】
【特許文献１】特開２００９−１０８７６１号公報
【発明の概要】
【発明が解決しようとする課題】
【０００７】
しかしながら、特許文献１の構造では、インタークーラ内に凝縮水がたまる。インタークーラ内に凝縮水がたまると、インタークーラ内で凝縮水が蒸発する。凝縮水中には、排気に含まれる硫黄成分が含まれているので、蒸発することによって凝縮水は強度の酸性となる。このため、インタークーラは、腐食することを防止するためにニッケル系のコーティングを施すなど耐食性を高める処理が必要になり、コストが高くなる傾向にある。
【０００８】
また、インタークーラ内に凝縮水がたまり続けると、自動車の走行にともなってたまった凝縮水がゆれるので、音が顕著に発生し易くなる。
【０００９】
また、凝縮水がインタークーラの下流に流入する場合もある。この場合、吸気通路においてインタークーラの下流が腐食することを防止するために耐食性を高める処理が必要になるので、コストが高くなる傾向にある。
【００１０】
本発明は、冷却部内に凝縮水がたまり続けることを防止できる、凝縮水排出装置を提供することを目的とする。
【課題を解決するための手段】
【００１１】
請求項１に記載の発明の凝縮水排出装置は、燃焼室に連通する吸気通路と、前記燃焼室に連通する排気通路と、前記吸気通路に設けられて前記燃焼室に導かれる気体が流動するとともに、前記気体を冷却する冷却部と前記燃焼室から排出される排気を前記吸気通路において前記冷却部の上流に導く第一排気還流装置とを備えるエンジンに設けられる。前記凝縮水排出装置は、前記冷却部で凝縮された凝縮水を蒸発させる蒸発手段と、前記蒸発手段で形成された水蒸気を、前記吸気通路中に排出する排出手段とを備え、更に、前記蒸発手段は、前記排気通路の一部と、前記凝縮水をためるとともに、前記排気通路からの排熱を受熱する受熱部を備えたタンクとを備える。
【００１２】
請求項２に記載の発明の凝縮水排出装置は、請求項１の記載において、前記エンジンの運転状態に応じて最適な量の前記水蒸気が前記燃焼室に導入されるよう水蒸気排出量の調整を行う水蒸気量調整手段を備える。
【００１３】
請求項３に記載の発明の凝縮水排出装置は、請求項１又は２の記載において、前記燃焼室から排出される排気を前記吸気通路において前記冷却部の下流に導く第二排気還流装置を備える。前記排出手段は、前記蒸発手段で形成された水蒸気を前記吸気通路中に排出する同時に前記第二排気還流装置から該吸気通路へ排気を導入すること。
【００１５】
請求項４に記載の発明の凝縮水排出装置は、請求項１〜３のうちのいずれか１項の記載において、前記タンク内の圧力を検出するタンク内圧検出手段と、前記吸気通路において蒸気が戻される位置の圧力を検出する吸気通路圧力検出手段とを備える。前記排出手段は、前記タンク内圧が前記吸気通路圧力を上回るように前記第二排気還流装置から前記吸気通路への排気の導入量を制御する。
【発明の効果】
【００１６】
本発明によれば、冷却部内に凝縮水がたまることを抑制できる。
【図面の簡単な説明】
【００１７】
【図１】本発明の第１の実施形態に係る凝縮水排出装置を備える自動車を示す概略図。
【図２】図１に示された排気マニホールドの近傍を一部切り欠いて示す断面図。
【図３】図２中に示されるＦ３―Ｆ３線に沿って示す、排気マニホールドの近傍の断面図。
【図４】図１に示されたタンク装置の内部を示す斜視図。
【発明を実施するための形態】
【００１８】
本発明の第１の実施形態に係る凝縮水排出装置を、図１〜４を用いて説明する。図１は、本実施形態の凝縮水排出装置１００を備える自動車１を示す概略図である。図１中、凝縮水排出装置１００は、概略的に示されている。
【００１９】
図１に示すように、自動車１は、エンジン１０と、一対の前輪２と、一対の後輪３と、アクセルペダル４と、アクセルセンサ５と、メインＥＣＵ６とを備えている。凝縮水排出装置１００は、エンジン１０の一部である。自動車１は、後述されるエンジン１０が備える機関部分２０が発生する駆動力を前輪２に伝達する伝達機構を備えている。自動車１は、機関部分２０が発生する駆動力によって走行可能となる。
【００２０】
アクセルペダル４は、運転者が車を走行する際に踏み込むペダルである。アクセルセンサ５は、アクセルペダル４の踏み込み量を検出する。アクセルセンサ５は、メインＥＣＵ６に連結されている。アクセルセンサ５は、検出結果をメインＥＣＵ６に送信する。メインＥＣＵ６は、自動車１の様々な制御を行う。メインＥＣＵ６は、アクセルセンサ５の検出結果に基づいて、後述されるエンジンＥＣＵ６０に出力の要求を送信する。
【００２１】
図１に示すように、エンジン１０は、機関部分２０と、吸気系３０と、排気系４０と、ターボチャージャ５０と、エンジンＥＣＵ６０とを備えている。
【００２２】
機関部分２０は、エンジン１０において燃焼室が設けられる部分である。本実施形態では、機関部分２０は、レシプロ式のガソリン機関であり、シリンダブロック５００とシリンダヘッド５０１とから構成されている。機関部分２０は、４気筒を備えている。なお、図１中では、１つの燃焼室２１を示している。燃焼室２１には、燃料を噴射するインジェクタ２３と点火プラグ２４とが設けられている。
【００２３】
ターボチャージャ５０は、後述される吸気通路３１中に設けられるコンプレッサホイールと、後述される排気通路４１中に設けられるタービンホイール５５とを備えている。
【００２４】
吸気系３０は、機関部分２０に、空気Ａ、または、空気Ａと排気Ｈとの混合気Ｍとを導く。吸気系３０は、吸気通路３１と、エアクリーナ３２と、エアフローセンサ３３と、低圧排気還流装置用スロットルバルブ装置３４と、ターボチャージャ５０のコンプレッサホイールと、インタークーラ３５と、酸素濃度検出センサ９０と、高圧排気還流装置用スロットルバルブ装置３６と、凝縮水排出装置１００とを備えている。低圧排気還流装置は本発明で言う第一排気還流装置、高圧排気還流装置は第二排気還流装置の一例である。
【００２５】
吸気通路３１は、空気Ａ、または、空気Ａと排気Ｈとの混合気Ｍとが流動する。吸気通路３１は、吸気通路本体３１ａと、吸気マニホールド３１ｂとを備える。吸気マニホールド３１ｂは、機関部分２０の各燃焼室２１に連通している。吸気通路本体３１ａは、吸気マニホールド３１ｂに連結されている。吸気通路本体３１ａは、吸気マニホールド３１ｂに連通している。なお、ここで言う吸気通路本体３１ａとは、吸気通路３１において吸気マニホールド３１ｂ以外の部分を示す。
【００２６】
エアクリーナ３２は、吸気通路３１中に設けられている。エアクリーナ３２は、外部から導かれる空気Ａを濾過する。エアフローセンサ３３は、吸気通路３１においてエアクリーナ３２の下流に設けられている。エアフローセンサ３３は、吸気通路３１を流れる吸入空気量を検出する。
【００２７】
低圧排気還流装置用スロットルバルブ装置３４は、吸気通路３１においてエアフローセンサ３３の下流に設けられている。低圧排気還流装置用スロットルバルブ装置３４は、吸気通路３１中においてエアフローセンサ３３の下流に配置されるスロットルバルブ３４ａと、スロットルバルブ３４ａを回転することによって吸気通路３１内でのスロットルバルブ３４ａの姿勢を変化するバルブ駆動部３４ｂとを備えている。スロットルバルブ３４ａは、一例として、バタフライバルブである。吸気通路３１内でスロットルバルブ３４ａの姿勢が変化することによって、低圧排気還流装置用スロットルバルブ装置３４を通過する空気Ａの量が調節される。言い換えると、スロットルバルブ３４ａの開度が調節される。
【００２８】
図中、ターボチャージャ５０のコンプレッサホイールは、後述されるタービンホイール５５の奥に配置されており、それゆえ、図中には示されていない。コンプレッサホイールは、吸気通路３１においてスロットルバルブ３４ａの下流に設けられている。インタークーラ３５は、吸気通路３１においてコンプレッサホイールの下流に設けられている。インタークーラ３５内を空気Ａ、または、空気Ａと排気Ｈとの混合気Ｍが流れる。インタークーラ３５は、外部の空気との間で熱交換をすることによって、インタークーラ３５内を流れる気体を冷却する。インタークーラ３５は、本発明で言う冷却部の一例である。
【００２９】
酸素濃度検出センサ９０は、吸気通路３１において、インタークーラ３５の下流に設けられている。本実施形態では、酸素濃度検出センサ９０は、吸気マニホールド３１ｂに設けられている。酸素濃度検出センサ９０は、吸気マニホールド３１ｂ内を流れる気体中の酸素濃度を検出する。ここで言う気体は、空気Ａ、または、空気Ａと排気Ｈとの混合気Ｍである。
【００３０】
高圧排気還流装置用スロットルバルブ装置３６は、吸気通路３１においてインタークーラ３５の下流であって吸気マニホールド３１ｂよりも上流に設けられている。高圧排気還流装置用スロットルバルブ装置３６は、吸気通路３１においてインタークーラ３５の下流に配置されるスロットルバルブ３６ａと、吸気通路３１内でのスロットルバルブ３６ａの姿勢を調節するバルブ駆動部３６ｂとを備える。
【００３１】
バルブ駆動部３６ｂがスロットルバルブ３６ａを回転することによってスロットルバルブ３６ａの姿勢を調節すると、スロットルバルブ３６ａの開度が調節されて、スロットルバルブ３６ａを通過する空気Ａまたは混合気Ｍの量が調節される。
【００３２】
また、スロットルバルブ３６ａの開度が調節されることによって、吸気通路３１においてスロットルバルブ３６ａの上流と下流とで圧力差を作ることができる。スロットルバルブ３６ａの開度を小さくすると、言い換えるとスロットルバルブ３６ａを絞ってスロットルバルブ３６ａを通過する気体の流量を小さくすると、スロットルバルブ３６ａの下流に対して上流の圧力を高くすることができる。
【００３３】
凝縮水排出装置１００については、後で詳細に説明する。
【００３４】
排気系４０は、各燃焼室２１から排出される排気Ｈを外部へ導く。排気系４０は、排気通路４１と、ターボチャージャ５０のタービンホイール５５と、触媒装置４２と、低圧排気還流装置７０と、高圧排気還流装置８０とを備えている。
【００３５】
排気通路４１は、機関部分２０の各燃焼室２１から排出される排気Ｈが流動する。排気通路４１は、排気通路本体４１ａと、排気マニホールド４１ｂとを備えている。排気マニホールド４１ｂは、各燃焼室２１に連通している。排気通路本体４１ａは、排気マニホールド４１ｂに連通している。排気通路本体４１ａは、排気通路４１において排気マニホールド４１ｂ以外の部分を示す。
【００３６】
タービンホイール５５は、排気通路本体４１ａに設けられている。触媒装置４２は、排気通路４１においてタービンホイール５５の下流に設けられている。触媒装置４２は、酸化触媒４２ａと、ＤＰＦ（Diesel Particulate Filter）４２ｂとを備えている。酸化触媒４２ａは、ＤＰＦ４２ｂよりも上流に位置している。
【００３７】
低圧排気還流装置７０は、本発明で言う第一排気還流装置７０の一例である。低圧排気還流装置７０は、低圧排気還流装置用通路７１と、低圧排気還流装置用クーラ７２と、低圧排気還流装置用バルブ装置７３とを備えている。低圧排気還流装置用通路７１の一端７４は、排気通路４１において触媒装置４２の下流の位置に連通している。低圧排気還流装置用通路７１の他端７５は、吸気通路３１においてコンプレッサホイールとスロットルバルブ３４ａとの間に連通している。低圧排気還流装置用通路７１は、排気通路４１と吸気通路３１を連通している。低圧排気還流装置用クーラ７２は、低圧排気還流装置用通路７１中に設けられている。低圧排気還流装置用クーラ７２は、内部を冷媒が流動している。排気Ｈが低圧排気還流装置用クーラ７２を流動する際、冷媒と熱交換をすることによって、排気Ｈが冷却される。
【００３８】
低圧排気還流装置用バルブ装置７３は、低圧排気還流装置用通路７１の他端７５に設けられている。低圧排気還流装置用バルブ装置７３は、バルブ７３ａと、バルブ７３ａを駆動するバルブ駆動部７３ｂとを備えている。バルブ７３ａは、他端７５を開閉する。
【００３９】
バルブ駆動部７３ｂによってバルブ７３ａが移動されて、バルブ７３ａが他端７５を開く状態であると、言い換えると、バルブ７３ａが開くと、低圧排気還流装置用通路７１を通って排気Ｈが吸気通路３１に流入する。バルブ７３ａが他端７５を閉塞する状態であると、言い換えると、バルブ７３ａが閉じると、排気Ｈは、吸気通路３１に流入しない。
【００４０】
高圧排気還流装置８０は、本発明で言う第二排気還流装置の一例である。高圧排気還流装置８０は、高圧排気還流装置用通路８１と、高圧排気還流装置用クーラ８２と、高圧排気還流装置用バルブ装置８３とを備えている。高圧排気還流装置用通路８１の一端８４は、排気マニホールド４１ｂに連通している。高圧排気還流装置用通路８１の他端８５は、吸気通路３１において、スロットルバルブ３６ａの下流に連通している。高圧排気還流装置用通路８１は、排気通路４１と吸気通路３１とを連通している。高圧排気還流装置用クーラ８２は、高圧排気還流装置用通路８１に設けられている。高圧排気還流装置用クーラ８２は、内部を冷媒が流動している。排気Ｈが高圧排気還流装置用クーラ８２内を流動する際、冷媒と熱交換をすることによって、排気Ｈが冷却される。
【００４１】
高圧排気還流装置用バルブ装置８３は、高圧排気還流装置用通路８１の他端８５に設けられている。高圧排気還流装置用バルブ装置８３は、バルブ８３ａと、バルブ８３ａを駆動するバルブ駆動部８３ｂとを備えている。バルブ８３ａは、他端８５を開閉する。
【００４２】
バルブ駆動部８３ｂによってバルブ８３ａが移動されて、バルブ８３ａが他端８５を開く状態であると、言い換えると、バルブ８３ａが開くと、高圧排気還流装置用通路８１を通って排気Ｈが吸気通路３１に流入する。バルブ８３ａが他端８５を閉塞する状態であると、言い換えると、バルブ８３ａが閉じると、排気Ｈは、吸気通路３１に流入しない。
【００４３】
酸素濃度検出センサ９０は、排気通路４１において触媒装置４２の下流に連結されている。
【００４４】
エンジンＥＣＵ６０は、エアフローセンサ３３と、酸素濃度検出センサ９０とに接続されている。エアフローセンサ３３と酸素濃度検出センサ９０とは、検出結果をエンジンＥＣＵ６０に送信する。エンジンＥＣＵ６０は、メインＥＣＵ６に接続されており、メインＥＣＵ６から指示を受ける。エンジンＥＣＵ６０は、低圧排気還流装置用スロットルバルブ装置３４のバルブ駆動部３４ｂと、高圧排気還流装置用スロットルバルブ装置３６のバルブ駆動部３６ｂと、低圧排気還流装置用バルブ装置７３のバルブ駆動部７３ｂと、高圧排気還流装置用バルブ装置８３のバルブ駆動部８３ｂとに接続されており、これらバルブの開閉を制御する。また、エンジンＥＣＵ６０は、インジェクタ２３の動作を制御する。
【００４５】
具体的に説明すると、メインＥＣＵ６は、アクセルセンサ５の検出結果に基づいて、エンジンＥＣＵ６０に出力の要請を出す。エンジンＥＣＵ６０は、メインＥＣＵ６からの指示に基づいて、または、機関部分２０の運転状態に応じて、バルブ駆動部３４ｂ，３６ｂ，７３ｂ，８３ｂと、各インジェクタ２３と、各点火プラグ２４との動作を制御する。
【００４６】
つぎに、凝縮水排出装置１００について説明する。凝縮水排出装置１００は、タンク装置１０１と、導入通路１０２と、排出通路１０３と、カバー部材１０４と、第１の吸気通路用圧力センサ１０５と、第２の吸気通路用圧力センサ１０６（吸気通路圧力検出手段）とを備えている。図２は、排気マニホールド４１ｂの近傍を示すとともに、排気マニホールド４１ｂが一部切断された状態を示している。
【００４７】
図２に示される、排気マニホールド４１ｂと、機関部分２０との配置関係を説明する。図２において、機関部分２０は、排気マニホールド４１ｂの奥に配置されている。また、図２中、各燃焼室２１が並ぶ方向Ｃを矢印で示す。
【００４８】
車体上下方向Ｂについて説明する。図２中、車体上下方向Ｂは、前輪２と後輪３などの車輪が取り付けられた自動車１が平面上に置かれたときに、この平面に垂直な方向に平行である。そして、この垂直な方向のうち平面において自動車１が置かれた側から平面に向かう方向を下方向とし、反対方向を上方向とする。なお、自動車１が平面上におかれた状態とは、車輪がこの平面に接触しており、自動車１が走行可能な姿勢でおかれた状態である。重力が作用する方向に垂直な平面上に自動車１が置かれた場合、重力の作用する方向が下方向となる。
【００４９】
図３は、図２中に示されるＦ３―Ｆ３線に沿って示す断面図である。図２，３に示すように、タンク装置１０１は、排気マニホールド４１ｂに対して車体上下方向Ｂに沿って上方に位置している。タンク装置１０１は、排気マニホールド４１ｂに対して離間している。また、タンク装置１０１の全体は、車体上下方向Ｂに沿って見たときに排気マニホールド４１ｂに重なっている。言い換えると、タンク装置１０１の全体は、車体上下方向Ｂに沿って見たときに、排気マニホールド４１ｂの外郭を規定する縁の内側に位置している。タンク装置１０１は、ブラケット１０７によって機関部分２０に固定されている。
【００５０】
図４は、タンク装置１０１の内部を示している。図４に示すように、タンク装置１０１は、タンク１１０と、流動抑制筒１１１と、気液分離板１１２と、タンク用圧力センサ１１３とを備えている。タンク用圧力センサ１１３（タンク内圧検出手段）は、図１にのみ示されている。タンク１１０は、両端が閉塞するとともに液密に密閉される筒状である。タンク１１０の外観を規定する壁部２０１の底壁部２０１は、排気マニホールド４１ｂに対面している。
【００５１】
流動抑制筒１１１は、複数の貫通孔が形成される多孔板が筒状に形成されることによって構成されている。流動抑制筒１１１の両端は、開口している。本実施形態では、大きさの違う２つの流動抑制筒１１１が設けられている。小さい方の流動抑制筒１１１は、大きい方の流動抑制筒１１１の内側に収容されている。各流動抑制筒１１１の車体上下方向Ｂに下端の全域は、タンク１１０の底面に接触した状態で、この底面に固定されている。
【００５２】
車体上下方向Ｂに垂直な方向に沿ってタンク１１０の内面１１４と外側の流動抑制筒１１１との間には、隙間が形成されている。車体上下方向Ｂに垂直な方向に沿って一方の流動抑制筒１１１と他方の流動抑制筒１１１との間にも隙間が形成されている。なお、流動抑制筒１１１の数は、２つに限定されるものではない。１つでもよい。好ましくは、複数であるとよい。複数である場合は、図４に示すように、大きい流動抑制筒１１１内に小さい流動抑制筒１１１が収容される。
【００５３】
気液分離板１１２は、複数の貫通孔が形成される多孔板であり、一例として平板である。本実施形態では、一例として、気液分離板１１２は、３つ設けられている。各気液分離板１１２は、タンク１１０内において車体上下方向Ｂに沿って流動抑制筒１１１の上方に配置されている。気液分離板１１２の各々は、互いに離間しており、周縁の全域がタンク１１０の内面１１４に接触した状態で、内面１１４に固定されている。
【００５４】
図１に示すように、タンク用圧力センサ１１３は、タンク１１０内に設けられており、タンク１１０内の圧力を検出する。タンク用圧力センサ１１３は、エンジンＥＣＵ６０に接続されている。タンク用圧力センサ１１３は、検出結果をエンジンＥＣＵ６０に送信する。
【００５５】
タンク１１０において車体上下方向Ｂにそって上壁部１１５には、入口用貫通孔１１６と、出口用貫通孔１１７とが形成されている。
【００５６】
図１に示すように、導入通路１０２は、例えば管部材で形成されており、インタークーラ３５とタンク１１０とに連通している。導入通路１０２の一端は、インタークーラ３５内の空気Ａまたは空気Ａと排気Ｈとの混合気Ｍが流動する流路において、凝縮された凝縮水がたまりやすい部位に連通している。凝縮された凝縮水がたまりやすい部位は、本実施形態では、インタークーラ３５内の空気Ａまたは空気Ａと排気Ｈとの混合気Ｍが流動する流路において車体上下方向Ｂに最も下端の位置に連通している。
【００５７】
なお、インタークーラ３５内において空気Ａまたは空気Ａと排気Ｈとの混合気Ｍが流動する流路において凝縮水がたまりやすい部位は、インタークーラの構造によって異なる。インタークーラ内において空気Ａまたは空気Ａと排気Ｈとの混合気Ｍが流動する流路において凝縮水がたまりやすい部位は、実験などによって求めることができる。
【００５８】
ここで、インタークーラ３５とタンク装置１０１との位置関係を説明する。本実施形態では、タンク装置１０１は、インタークーラ３５に対して車体上下方向Ｂに下側に配置されている。なお、タンク装置１０１とインタークーラ３５とは、車体上下方向Ｂに見たときに重なっていなくてもよい。
【００５９】
導入通路１０２は、入口用貫通孔１１６に連結されている。入口用貫通孔１１６の縁は、導入通路１０２が連結されることによって液密にシールされる。または、液密にシールするために、シール部材が用いられてもよい。
【００６０】
導入通路１０２は、タンク１１０内に連通している。導入通路１０２によって、インタークーラ３５とタンク１１０とが連通する。インタークーラ３５内で凝集した凝縮水Ｗは、導入通路１０２を通ってタンク１１０内に導かれる。入口用貫通孔１１６には、車体上下方向Ｂに沿って気液分離板１１２よりも下方に凝縮水Ｗを導く管部材１１８が取り付けられている。
【００６１】
タンク１１０内には、耐食性を高める処理が施されている。本実施形態では、タンク１１０の内面１１４と、管部材１１８と、後述される管部材１１９と、流動抑制筒１１１と、気液分離板１１２とには、耐食性を向上するために、ニッケル系の金属がコーティングされている。
【００６２】
排出通路１０３は、例えば管部材で形成されている。排出通路１０３の一端は、出口用貫通孔１１７に連結されている。出口用貫通孔１１７の縁は、排出通路１０３が連結されることによって気密にシールされる。または、気密にシールするために、シール部材が用いられてもよい。出口用貫通孔１１７には、タンク１１０内に向かって延びる管部材１１９が連結されている。管部材１１９は、気液分離板１１２と接触しない位置まで、車体上下方向Ｂに沿って延びている。
【００６３】
図１に示すように、排出通路１０３の他端１０３ａは、吸気通路３１においてスロットルバルブ３６ａの下流であって、かつ、酸素濃度検出センサ９０の上流の位置に連通している。排出通路１０３を介して、タンク１１０内と排気通路４１とは連通している。排出通路１０３の他端１０３ａには、蒸気調節バルブ装置１２０が設けられている。
【００６４】
蒸気調節バルブ装置１２０は、他端１０３ａに設けられるバルブ本体１２１と、バルブ本体１２１の位置を調節するバルブ駆動部１２２とを備えている。バルブ本体１２１は、他端１０３ａを塞ぐ位置と、他端１０３ａを開く位置との２つの位置に変位可能である。バルブ駆動部１２２は、エンジンＥＣＵ６０に接続されている。バルブ駆動部１２２は、エンジンＥＣＵ６０によって制御されて、バルブ本体１２１を塞ぐ位置または開く位置に位置決めする。バルブ本体１２１が他端１０３ａを閉じる位置にある状態では、他端１０３ａは気密に閉塞される。
【００６５】
図２，３に示すように、カバー部材１０４は、タンク装置１０１の全体と、排気マニホールド４１ｂの全体とを覆っている。カバー部材１０４は、一例として、ブラケット４００を介して排気マニホールド４１ｂに固定されている。図３中、ブラケット４００の一部が図示されている。なお、カバー部材１０４の固定構造は、上記以外の構造であってもよい。カバー部材１０４を排気マニホールド４１ｂに固定する固定具として、ブラケット４００以外の固定具が用いられてもよい。
【００６６】
カバー部材１０４は、車体上下方向Ｂに沿って上方に位置する上壁部１０４ａと、機関部分２０とタンク装置１０１との間に配置される側壁部１０４ｂと、タンク装置１０１を挟んで側壁部１０４ｂの反対側に配置される側壁部１０４ｃと、側壁部１０４ｂ，１０４ｃを連結する側壁部１０４ｄ，１０４ｅとを備えている。
【００６７】
図２に示すように、上壁部１０４ａは、排気マニホールド４１ｂとタンク装置１０１とに沿って形成されている。この点について具体的に説明すると、排気マニホールド４１ｂが延びる方向である方向Ｂは、本実施形態では、一例として車体上下方向Ｂに垂直な方向である。
【００６８】
そして、タンク装置１０１は、車体上下方向Ｂに見たときに、排気マニホールド４１ｂの中央に重なる。排気マニホールド４１ｂとタンク装置１０１とは、Ｔ字を逆さまにした形状を構成する。上壁部１０４ａは、Ｔ字を逆さまにした形状である。このため、上壁部１０４ａと排気マニホールド４１ｂとの間の隙間、上壁部１０４ａとタンク装置１０１との隙間とは、小さく形成されている。
【００６９】
側壁部１０４ｂ〜１０４ｅは、タンク装置１０１の周方向に連結されている。側壁部１０４ｂは、車体上下方向Ｂに沿ってブラケット１０７まで延びている。側壁部１０４ｃ〜１０４ｅは、車体上下方向Ｂに沿って排気マニホールド４１ｂの下端よりも下方に延びている。
【００７０】
図１に示すように、第１の吸気通路用圧力センサ１０５は、インタークーラ３５内の流路内の圧力を検出する。本実施形態では、インタークーラ３５内の圧力は、吸気通路３１においてインタークーラ３５の上流の位置の圧力と同じである。このため、本実施形態では、第１の吸気通路用圧力センサ１０５は、一例として、吸気通路３１においてインタークーラ３５の上流に設けられている。第１の吸気通路用圧力センサ１０５は、エンジンＥＣＵ６０に接続されている。第１の吸気通路用圧力センサ１０５は、検出結果をエンジンＥＣＵ６０に送信する。
【００７１】
第２の吸気通路用圧力センサ１０６は、吸気通路３１において排出通路１０３が連結される部位に作用する圧力を検出する。本実施形態では、第２の吸気通路用圧力センサ１０６は、吸気通路３１において、高圧排気還流装置用スロットルバルブ３６ａの下流であって、かつ、排出通路１０３の他端１０３ａの上流の位置に設けられている。第２の吸気通路用圧力センサ１０６は、吸気通路３１内の圧力を検出する。第２の吸気通路用圧力センサ１０６は、エンジンＥＣＵ６０に接続されている。第２の吸気通路用圧力センサ１０６は、検出結果をエンジンＥＣＵ６０に送信する。
【００７２】
つぎに、凝縮水排出装置１００の動作を説明する。エンジンＥＣＵ６０は、メインＥＣＵ６からの指示によって排気Ｈを吸気通路３１に導く場合、低圧排気還流装置用バルブ装置７３を開く。このことによって、排気Ｈの一部は、低圧排気還流装置用通路７１を通って吸気通路３１に導かれる。
【００７３】
吸気通路３１に排気Ｈが導かれることによって、空気Ａと排気Ｈとの混合気Ｍが形成される。排気Ｈは、水蒸気を含んでいる。ここで言う水蒸気は、水が蒸発して気体となったものであり、凝結して水の細かい粒となったものなどの液体は含まない。このため、混合気Ｍも水蒸気を含む。混合気Ｍは、コンプレッサホイールを通過した後、インタークーラ３５に流入する。混合気Ｍは、インタークーラ３５を通過することによって冷却される。混合気Ｍが冷却されることによって、混合気Ｍ中の水蒸気が凝縮されて凝縮水Ｗができる。
【００７４】
エンジンＥＣＵ６０は、排気Ｈが吸気通路３１に戻される際には、蒸気調節バルブ装置１２０を開く。蒸気調節バルブ装置１２０を開くとは、バルブ本体１２１が排出通路１０３の他端１０３ａを開く位置に移動することである。そして、高圧排気還流装置用スロットルバルブ装置３６のスロットルバルブ３６ａの開度を調整する。具体的には、インタークーラ３５内の圧力をＰ１とし、タンク１１０内の圧力をＰ２とし、吸気通路３１内において排出通路１０３が連通する部位の圧力をＰ３とすると、Ｐ１＞Ｐ２＞Ｐ３となるように、スロットルバルブ３６ａの開度を調整する。
【００７５】
エンジンＥＣＵ６０は、第１の吸気通路用圧力センサ１０５と、第２の吸気通路用圧力センサ１０６と、タンク用圧力センサ１１３との検出結果から、圧力Ｐ１，Ｐ２、Ｐ３を得ることができる。Ｐ１＞Ｐ２＞Ｐ３となることによって、インタークーラ３５内で凝縮された凝縮水Ｗは、導入通路１０２を通ってタンク１１０内に導かれる。タンク１１０内に導かれた凝縮水Ｗは、タンク１１０内にたまる。排出通路１０３と、蒸気調節バルブ装置１２０とは、本発明で言う排出手段の一例を構成する。
【００７６】
タンク１１０は、自動車１の走行に起因する振動によって揺れる。このとき、凝縮水Ｗは、流動抑制筒１１１に形成される複数の孔を通ることによって、タンク１１０内で大きく揺れることが抑制されるので、当該揺れに起因して音が発生することが抑制される。
【００７７】
図２，３に示すように、タンク１１０は、車体上下方向Ｂに沿って排気マニホールド４１ｂの上方に位置している。カバー部材１０４内の空気は、排気マニホールド４１ｂによって暖められると、車体上下方向Ｂに沿って上方に移動する。暖められた空気は、タンク１１０にぶつかる。タンク１１０は、排気マニホールド４１ｂによって暖められた空気がぶつかることによって昇温される。タンク１１０の壁部２０１において、底壁部２０２と底壁部２０２の近傍の部分とは、本発明で言う受熱部の一例として機能する。
【００７８】
タンク１１０内にためられた凝縮水Ｗは、上記のように昇温されたタンク１１０を介して昇温される。この結果、凝縮水Ｗは、タンク１１０内で蒸発する。タンク１１０と排気マニホールド４１ｂとは、本発明で言う蒸発手段の一例を構成する。
【００７９】
蒸発して気体となった水蒸気Ｖは、タンク１１０内で上方に移動する。タンク１１０内で上方に移動した水蒸気Ｖは、気液分離板１１２にぶつかる。ここで言う水蒸気Ｖは、水が蒸発して気体となったものであり、凝結して水の細かい粒となったものなどの液体は含まない。
【００８０】
水蒸気Ｖが気液分離板１１２にぶつかることによって、水蒸気Ｖとともに上昇した水滴、または、水蒸気Ｖの一部が凝結して水の細かい粒となったものが、水蒸気Ｖから分離される。液体が分離された水蒸気Ｖは、Ｐ２＞Ｐ３となっているため排出通路１０３を通って吸気通路３１に戻る。排出通路１０３と蒸気調節バルブ装置１２０とは、本発明で言う排出手段の一例を構成する。
【００８１】
このように構成される凝縮水排出装置１００では、インタークーラ３５で凝縮された凝縮水Ｗは、タンク１１０に導かれるので、インタークーラ３５内にたまるとともに蒸発することが抑制される。
【００８２】
このことによって、インタークーラ３５が腐食することを抑制することができる。また、インタークーラ３５の耐食性を向上する処理が不要またはその処理の程度を小さくすることができるので、コストの高騰を抑えることができる。
【００８３】
また、吸気通路３１においてインタークーラ３５の下流に、凝縮水Ｗが飛散することがないので、吸気通路３１においてインタークーラ３５の下流が腐食することを抑制することができる。特に、吸気通路３１中に酸素濃度検出センサ９０などのセンサが設けられる場合、これらセンサは、水分の付着が故障の原因となる場合がある。本実施形態のように、インタークーラ３５の下流に凝縮水Ｗが飛散することが抑制されることによって、吸気通路３１においてインタークーラ３５の下流にセンサなどの水分が故障の原因となる部品が設けられても、これら部品が故障することを抑制することができる。
【００８４】
さらに、吸気通路３１においてインタークーラ３５の下流の耐食性を向上する処理が不要またはその処理の程度を小さくすることができるので、コストの高騰を抑えることができる。
【００８５】
また、水蒸気Ｖを吸気通路３１に戻すので、排出通路１０３の長さを比較的短くすることができる。
【００８６】
また、水蒸気Ｖが吸気通路３１に戻るので、上記のように、吸気通路３１において排出通路１０３の他端１０３ａの下流に酸素濃度検出センサ９０などの水分が故障の原因となる部品が設けられても、これら部品が故障することを抑制することができる。
【００８７】
また通常、ドライバーがアクセルペダル４を踏むことで、アクセルセンサ５からドライバーが要求するトルクをECUで算出し、それに応じ燃料噴射量や過給圧、ＥＧＲ量を算出し、運転状態に応じインジェクタ２４、スロットルバルブ３４・３６、ＥＧＲバルブ７３・８３の開度を決定するが、さらにこのときのエンジン運転状態に応じて蒸気調節バルブ１２０の開度を調整し、水蒸気量を調整して筒内に導入する。筒内に導入する水蒸気量は、例えばＥＣＵ内に運転状態に応じて最適な必要蒸気量をマップとして持っており、その最適な蒸気量となるよう，スロットルバルブ３６と蒸気調節バルブ１２０の開度を調整する。
【００８８】
これにより、吸気通路３１に戻された水蒸気Ｖは、水滴ではなく水蒸気として，混合気Ｍと混合するため、混合気と均一にされやすい。また混合気Ｍと混合された水蒸気Ｖは、筒内に導入され、インジェクタから噴射される燃料と混合し燃焼するが、そのとき比熱の高い水蒸気が最適な量で混入しているため、燃焼の不安定化を引き起こすことなく、最適な燃焼を確保しつつ、燃焼温度を下げることができ、（比熱が高い＝燃焼時に発生する熱を、凝縮水が多く蓄えることができる。）ＮＯｘの発生を大幅に低減できるため、高価なＮＯｘ後処理の簡素化が期待できる。また水蒸気として筒内に導入されるため、筒内の部品（シリンダーライナー，ピストン，ピストンリングなど）への凝縮水の付着が抑制され、腐食を防止できる。また蒸気として導入するためシリンダーライナーに付着した凝縮水がシリンダーライナーを伝ってオイルパンへ導入し、オイルが希釈することも防止できる。
【００８９】
また、タンク１１０が排気マニホールド４１ｂに対して車体上下方向Ｂに沿って上方に位置することによって、排気マニホールド４１ｂの熱を利用してタンク１１０の凝縮水Ｗを効率よく蒸発させることができる。
【００９０】
また、排気通路４１の一部として排気通路４１のうち温度が高い排気マニホールド４１ｂに対して車体上下方向Ｂに沿って上方にタンク１１０を配置することによって、排気マニホールド４１ｂが有する熱を有効に利用することができる。
【００９１】
また、タンク１１０の全体が排気マニホールド４１ｂに車体上下方向Ｂに重なることによって、排気マニホールド４１ｂの熱が効率よくタンク１１０に伝わるようになる。
【００９２】
また、カバー部材１０４を備えることによって、排気マニホールド４１ｂの熱がタンク１１０に効率よく伝わるようになる。
【００９３】
また、流動抑制筒１１１と、気液分離板１１２とは、タンク１１０に接続されているので、タンク１１０の外から伝わる熱が流動抑制筒１１１と気液分離板１１２とを介して凝縮水Ｗに効率よく伝達されるので、凝縮水Ｗの蒸発を促進することができる。
【００９４】
また、流動抑制筒１１１と、気液分離板１１２とは、タンク１１０に接続されているので、タンク１１０の外から伝わる熱が流動抑制筒１１１と気液分離板１１２とを介して凝縮水Ｗに効率よく伝達されるので、凝縮水Ｗの蒸発を促進することができる。
【００９５】
なお、タンク１１０内には、耐食性を向上するための処理として、ニッケル系の金属がコーティングされている。しかしながら、これに限定されない。たとえば、タンク１１０内に、排気を浄化する触媒がコーティングされてもよい。触媒がコーティングされることによって、凝縮水Ｗとともにタンク１１０内に導かれる排気Ｈを浄化することができる。
【００９６】
または、タンク１１０内には、耐食性を向上する処理に加えて、上記された触媒のコーティングが施されてもよい。
【００９７】
また、凝縮水Ｗを蒸発するための蒸発手段として、タンク１１０と、排気通路４１とを利用している。しかしながら、排気通路４１を利用しない構造であってもよい。例えば、凝縮水Ｗを蒸発するための蒸発手段は、熱源として加熱ヒータを備えてこの加熱ヒータによって凝縮水Ｗを蒸発させてもよい。
【００９８】
また、凝縮水Ｗを蒸発するための熱源として、排気マニホールドが用いられた。しかしながら、例えば、排気通路において、排気マニホールド以外の部分が用いられてもよい。この場合、タンク装置が第１，２の実施形態において、排気通路において排気マニホールド以外の部分が排気マニホールドに置き換えられる。排気通路において排気マニホールド以外の部位は、排気の熱によって高温になるので、第１，２の実施形態と同様の効果が得られる。なお、好ましくは、第１，２の実施形態のように、排気マニホールドが用いられるとよい。
【００９９】
また、タンク１１０は、排気マニホールド４１ｂの車体上下方向Ｂに沿って上方に配置されている。しかしながら、タンク１１０は、排気マニホールド４１ｂから熱が伝達されて凝縮水Ｗが蒸発される位置にあればよい。このため、タンク１１０は、排気マニホールド４１ｂに接触していてもよい。または、タンク１１０は、タンク１１０の一部が排気マニホールド４１ｂの内部に入り込んでいてもよい。
【０１００】
なお、本実施形態では、高圧排気還流装置８０は、高圧排気還流装置用クーラ８２を備えており、高圧排気還流装置８０を介して吸気通路３１に戻される排気Ｈは、高圧排気還流装置用クーラ８２で冷却される。
【０１０１】
高圧排気還流装置８０は、高圧排気還流装置用クーラ８２を備えていなくてもよい。この場合、高圧排気還流装置用通路８１を通る排気Ｈは、冷却されることなく高温のまま吸気通路３１に戻される。高圧排気還流装置用通路８１を通って高温の排気Ｈが吸気通路３１に戻ることによって、排気Ｈの熱によって、吸気通路３１に戻される水蒸気Ｖが吸気通路３１内で再び凝縮することが抑制される。
【０１０２】
または、高圧排気還流装置８０は、高圧排気還流装置用クーラ８２をバイパスするバイパス通路を備えてもよい。このバイパス通路を通って排気Ｈが吸気通路３１に戻ることによって、上記と同様に、吸気通路３１に戻された水蒸気Ｖが再び凝縮することを抑制できる。
【０１０３】
本実施形態では、高圧排気還流装置用スロットルバルブ装置３６と、蒸気調節バルブ装置１２０とは、本発明で言う水蒸気量調整手段の一例を構成する。
【０１０４】
なお、本実施形態では、底壁部２０１と底壁部２０１の近傍の部位とが本発明で言う受熱部の一例として機能している。タンク１１０は、受熱部として、例えばフィンなどの熱を受ける部分を備えてもよい。
【０１０５】
上記された、高圧排気還流装置用クーラ８２を備えない構造、または、高圧排気還流装置用クーラバイパス通路を備える構造であっても、高圧排気還流装置８０を介して排気Ｈの一部を吸気通路３１に戻すタイミングと水蒸気Ｖを吸気通路３１に戻すタイミングとを合わせることによって、水蒸気Ｖが再び凝縮することを、より一層抑制することができる。
【０１０６】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
以下に、本願の出願当初の特許請求の範囲に記載された内容を付記する。
［１］
燃焼室に連通する吸気通路と、
前記吸気通路に設けられて前記燃焼室に導かれる気体が流動するとともに、前記気体を冷却する冷却部と
前記燃焼室から排出される排気を前記吸気通路において前記冷却部の上流に導く第一排気還流装置と
を備えるエンジンに設けられる凝縮水排出装置であって、
前記冷却部で凝縮された凝縮水を蒸発させる蒸発手段と、
前記蒸発手段で形成された水蒸気を、前記吸気通路中に排出する排出手段と
を具備することを特徴とする凝縮水排出装置。
［２］
前記エンジンの運転状態に応じて最適な量の前記水蒸気が前記燃焼室に導入されるよう水蒸気排出量の調整を行う水蒸気量調整手段を備える
ことを特徴とする１に記載の凝縮水排出装置。
［３］
前記燃焼室から排出される排気を前記吸気通路において前記冷却部の下流に導く第二排気還流装置を備え、
前記排出手段は、前記蒸発手段で形成された水蒸気を前記吸気通路中に排出する同時に前記第二排気還流装置から該吸気通路へ排気を導入すること
を特徴とする１又は２に記載の凝縮水排出装置。
［４］
前記蒸発手段は、
前記排気通路の一部と、
前記凝縮水をためるとともに、前記排気通路からの排熱を受熱する受熱部を備えたタンクと
を具備することを特徴とする１〜３のうちのいずれかに記載の凝縮水排出装置。
［５］
前記タンク内の圧力を検出するタンク内圧検出手段と、
前記吸気通路において蒸気が戻される位置の圧力を検出する吸気通路圧力検出手段とを備え、
前記排出手段は、前記タンク内圧が前記吸気通路圧力を上回るように前記第二排気還流装置から前記吸気通路への排気の導入量を制御すること
を特徴とする４に記載の凝縮水排出装置。
【符号の説明】
【０１０７】
２０…ディーゼルエンジン（エンジン）、２１…燃焼室、３１…吸気通路、３５…インタークーラ（冷却部）、３６…高圧排気還流装置用スロットルバルブ装置（水蒸気量調節手段）、４１ｂ…排気マニホールド（排気通路の一部、蒸発手段）、１００…凝縮水排出装置、１０３…排出通路（排出手段）、１０６…第２の吸気通路用圧力センサ（吸気通路圧力検出手段）、１１０…タンク（蒸発手段）、１１３…タンク用圧力センサ（タンク内圧検出手段）、１２０…蒸気調節バルブ装置（排出手段、水蒸気量調節手段）。
【図１】
0005527255.tif 000002
【図２】
0005527255.tif 000003
【図３】
0005527255.tif 000004
【図４】
0005527255.tif 000005